(57)【要約】【課題】耐久性が高く、意図しない接続解除を防ぐモジュラプラグを提供する。【解決手段】突起部１０２を上面に備えた板状のロックレバー１０１をモジュラプラグ本体の上部の一部として形成し、ロックレバー１０１の両側に弾性を有する側面部１０３，１０４を形成し、側面部１０３，１０４それぞれの内側に傾斜面１０３Ａ，１０４Ｃを互いにずらして形成する。これにより、ロックレバー１０１がモジュラプラグ本体から突出せず、側面部１０３，１０４を両側から押すことでモジュラジャックとのロックを解除できるモジュラプラグ１を提供することができる。【選択図】図１
2012138275.tif 000002
【特許請求の範囲】
【請求項１】
モジュラプラグ本体の上部の一部として形成され、上面に突起部を備える板状のロックレバーと、
前記ロックレバーの両側に形成され、弾性を有する一対の側面部と、を有し、
前記側面部のそれぞれは、前記ロックレバー側の面の互いに上下にずらした位置に傾斜面を備えたことを特徴とするモジュラプラグ。
【請求項２】
前記側面部にスリットを有することを特徴とする請求項１記載のモジュラプラグ。
【請求項３】
前記ロックレバーの上面の角を削ったことを特徴とする請求項１又は２記載のモジュラプラグ。
【発明の詳細な説明】
【技術分野】
【０００１】
本発明は、通信機器にケーブルを接続するためのモジュラプラグに関する。
【背景技術】
【０００２】
通信機器と電話線やＬＡＮ（ローカルエリアネットワーク）ケーブルとを接続するために、通信機器にモジュラジャックを備え、ケーブルの端にモジュラプラグを取り付けて両者を接続する方法が取られている。
【０００３】
図６に、従来のモジュラジャックとモジュラプラグを示す。同図右に示すモジュラプラグを同図左に示すモジュラジャックの挿入口３０１に挿入してケーブルと通信機器とを接続する。従来のモジュラプラグには、抜け防止のためのロック手段として可撓性のあるロックレバー２０１が設けられている。ロックレバー２０１の中間部には突起部２０２が形成されている。モジュラプラグをモジュラジャックに差し込んだときに、突起部２０２がモジュラジャックの係止部３０２と噛み合って安定した接続状態が維持され、不用意なケーブルの抜けや接続不良を防いでいる。
【０００４】
モジュラプラグをモジュラジャックから抜く場合は、ロックレバー２０１をモジュラプラグ本体側へ押すことで、モジュラプラグの突起部２０２とモジュラジャックの係止部３０２との噛み合わせが解除されて、モジュラプラグをモジュラジャックから引き抜くことができるようになる。
【先行技術文献】
【特許文献】
【０００５】
【特許文献１】特許第３４７９２３９号公報
【特許文献２】実公平８−２９３７号公報
【発明の概要】
【発明が解決しようとする課題】
【０００６】
モジュラプラグの素材は、価格や形成の容易さから、プラスチックが用いられることが多く、モジュラプラグの大きさは１０ｍｍ角以下の小さな寸法である。また、ロックレバーは、モジュラプラグ本体から突出し、弾性を持たせるために薄く形成されている。そのため、ロックレバーは破損しやすいという問題がある。例えば、ロックレバーに紐のようなものが引っかかったり、ロックレバーとモジュラプラグ本体との間にものが入り込み、ロックレバーにモジュラプラグ本体から離れる方向に力がかかるとロックレバーの付け根が折れてしまう。ロックレバーが折れたモジュラプラグを使用した場合、抜け防止機能が働かず、意図しない接続解除やケーブルの抜け落ちが発生しやすくなるという問題がある。ロックレバーが破損した場合はモジュラプラグ全体を交換する必要がある。特許文献１では、破損したロックレバーのみを交換する技術が開示されているが、ロックレバーの破損を防止することはできない。
【０００７】
また、ケーブルに、モジュラジャックから引き抜く方向に張力が働いている状態で、ロックレバーを押し下げる方向に力がかかると、容易に接続が解除されてしまうという問題がある。特に、大規模なルータや複数段に重ねられたスイッチハブなどでは、モジュラジャックが高い密度で配置されており、ケーブルを抜く作業時に、近くのモジュラプラグのロックレバーに触れてしまい、意図せずにケーブルが抜けて人為故障となることがある。意図しないケーブルの接続解除は少しの間隔であっても大規模かつ重大なネットワーク障害を発生させる原因となる。意図しない接続解除を防止するために、ロックレバーを保護するロックガードが考案されている（特許文献２参照）。ロックガードはモジュラプラグに新たな部品を付ける必要があり、モジュラプラグが巨大化するため、高い密度で配置されたモジュラジャックへの接続で利用することはできない。
【０００８】
本発明は、上記に鑑みてなされたものであり、耐久性が高く、意図しない接続解除を防ぐモジュラプラグを提供することを目的とする。
【課題を解決するための手段】
【０００９】
本発明に係るモジュラプラグは、モジュラプラグ本体の上部の一部として形成され、上面に突起部を備える板状のロックレバーと、前記ロックレバーの両側に形成され、弾性を有する一対の側面部と、を有し、前記側面部のそれぞれは、前記ロックレバー側の面の互いに上下にずらした位置に傾斜面を備えたことを特徴とする。
【００１０】
上記モジュラプラグにおいて、前記側面部にスリットを有することを特徴とする。
【００１１】
上記モジュラプラグにおいて、前記ロックレバーの上面の角を削ったことを特徴とする。
【発明の効果】
【００１２】
本発明によれば、耐久性が高く、意図しない接続解除を防ぐモジュラプラグを提供することができる。
【図面の簡単な説明】
【００１３】
【図１】本実施の形態におけるモジュラプラグの斜視図である。
【図２】本実施の形態におけるモジュラプラグの断面図である。
【図３】本実施の形態におけるモジュラプラグの分解斜視図である。
【図４】側面部が押されたときのロックレバーの位置を示す断面図である。
【図５】本実施の形態における別のモジュラプラグの断面図である。
【図６】従来のモジュラジャックとモジュラプラグを示す図である。
【発明を実施するための形態】
【００１４】
以下、本発明の実施の形態について図面を用いて説明する。
【００１５】
図１は、本実施の形態におけるモジュラプラグの構成を示す斜視図である。
【００１６】
本実施の形態におけるモジュラプラグ１は、ロックレバー１０１をモジュラプラグ本体の上部の一部として形成し、モジュラプラグ本体の両側面部１０３，１０４を押すことでロックレバー１０１とともにロックレバー１０１の上面に形成された突起部１０２が下がり、モジュラジャックとのロックが解除されて、モジュラプラグ１を抜くことができるようになっている。
【００１７】
ロックレバー１０１は、モジュラプラグ本体の上部の一部として形成されてモジュラプラグ１の上面を構成し、モジュラジャックに噛み合う突起部１０２をその上面に備え、一端をモジュラプラグ本体に固定した弾性を有する板状の部材である。ロックレバー１０１の図１の奥側、つまりケーブルが接続される側が下がることで突起部１０２も下がり、モジュラジャックとのロックが解除される。
【００１８】
ロックレバー１０１の両側、つまりモジュラプラグ本体の両側面には弾性を有する側面部１０３，１０４が形成される。側面部１０３，１０４の下部にはスリット１０５が形成され、側面部１０３，１０４を容易にたわませることができる。この側面部１０３，１０４は、モジュラプラグとモジュラジャックとのロックを解除するボタンとして機能する。
【００１９】
続いて、側面部１０３，１０４の断面について説明する。
【００２０】
図２は、本実施の形態におけるモジュラプラグのケーブル側（図の奥側）の断面図である。
【００２１】
図２に示すように、側面部１０３，１０４の内側（モジュラプラグ１内部）にはロックレバー１０１が上下して動く面に対して傾斜した傾斜面１０３Ａ，１０４Ａ，１０４Ｃが形成される。この傾斜面１０３Ａ，１０４Ａ，１０４Ｃにより、側面部１０３，１０４が外側から内側へ横方向に押された場合に、横方向からの力がロックレバー１０１が下がる力へ変換される。
【００２２】
一方の側面部１０４の傾斜面の途中には、ロックレバー１０１が上下して動く面と平行な垂直面１０４Ｂを設けて傾斜面を階段状に構成している。これにより、側面部１０３，１０４のいずれか一方だけが押された場合は、ロックレバー１０１が十分に下がることがなく、モジュラジャックとのロックは解除されない。片側から押しただけではロックが解除されないしくみについては後述する。
【００２３】
図２に示すように、本実施の形態におけるロックレバー１０１の断面は、ロックレバー１０１の上面の角が削られた六角形である。ロックレバー１０１の上面の角を丸く削るものでもよい。ロックレバー１０１の上面の角を削ることで、ロックレバー１０１が上面側に反り返ってしまっても、側面部１０３，１０４が押されたときに傾斜面１０３Ａ，１０４Ａをロックレバー１０１に接触させてロックレバー１０１を下げることができる。
【００２４】
図３は、本実施の形態におけるモジュラプラグの分解斜視図である。
【００２５】
本実施の形態におけるモジュラプラグ１は、材質としてプラスチックを用い、モジュラプラグ上部１１０とモジュラプラグ下部１２０の２部品に分かれるものを形成する。
【００２６】
モジュラプラグ上部１１０には、ロックレバー１０１、突起部１０２、側面部１０３，１０４、およびスリット１０５を設ける。
【００２７】
モジュラプラグ下部１２０は、従来と同様のものを利用することができる。これにより、新たな金型を作成する必要がなくなる。
【００２８】
モジュラプラグ下部１２０にケーブルの端子を差し込み、モジュラプラグ上部１１０を上から被せ、かしめ工具で上下の部品をはさみ固めて、モジュラプラグ１をケーブルに接続する。
【００２９】
次に、側面部１０３，１０４を両側から押さない場合はモジュラジャックとのロックが解除されないしくみについて説明する。図４は、側面部１０３，１０４が片側から押されたとき、および両側から押されたときのロックレバー１０１の位置を示す断面図である。
【００３０】
図４（ａ）は、傾斜面１０４Ａ，１０４Ｃが階段状に形成された側面部１０４だけが押されたときの様子を示す断面図である。側面部１０４だけが押された場合は、垂直面１０４Ｂにより、側面部１０４が押された力は、ロックレバー１０１を下げる力に変換されず、ロックレバー１０１が下がることはない。そのため、モジュラジャックとのロックは解除されない。なお、ロックレバー１０１は板状であるので、上下方向に対しては容易にたわむが、左右方向に対してはほとんどたわまないので、ロックレバー１０１が反対側の傾斜面１０３Ａに押しつけられて下がることはない。
【００３１】
図４（ｂ）は、傾斜面１０３Ａが形成された側面部１０３だけが押されたときの様子を示す断面図である。側面部１０３だけが押された場合は、傾斜面１０３Ａが形成された分だけロックレバー１０１が下がるが、モジュラジャックとのロックが解除されるまではロックレバー１０１の突起部１０２は下がらない。
【００３２】
図４（ｃ）は、側面部１０３，１０４が両側から押されたときの様子を示す断面図である。側面部１０３，１０４が両側から押された場合は、側面部１０３の傾斜面１０３Ａにより途中までロックレバー１０１が下がり、側面部１０４の傾斜面１０４Ｃによりロックレバー１０１がさらに下がる。その結果、突起部１０２が十分に下がり、モジュラプラグ１とモジュラジャックとのロックが解除される。
【００３３】
図５は、本実施の形態における別のモジュラプラグの断面図である。図５に示すモジュラプラグは、側面部１０３，１０４の傾斜面を互いにずらして形成している。また、ロックレバー１０１の断面を四角形としている。図５に示すように傾斜面を形成した場合でも、側面部１０３，１０４が両側から押されなければロックは解除されない。側面部１０３が押されることでロックレバー１０１が下がり、側面部１０４が押されることでロックレバー１０１がさらに下がる。側面部１０４だけが押された場合は、垂直面がロックレバー１０１に接触するので、ロックレバー１０１は下がらない。
【００３４】
なお、側面部１０３，１０４の傾斜面は、側面部１０３，１０４全体にわたって形成する必要はなく、側面部１０３，１０４が押される箇所、モジュラプラグ１にケーブルを接続する側に形成されていればよい。側面部１０３，１０４の外側にボタン形状の突起を配置して側面部１０３，１０４を押しやすくしてもよい。
【００３５】
以上説明したように、本実施の形態によれば、突起部１０２を上面に備えた板状のロックレバー１０１をモジュラプラグ本体の上部の一部として形成し、ロックレバー１０１の両側に弾性を有する側面部１０３，１０４を形成し、側面部１０３，１０４それぞれの内側に傾斜面１０３Ａ，１０４Ｃを互いにずらして形成することで、ロックレバー１０１がモジュラプラグ本体から突出せず、側面部１０３，１０４を両側から押すことでモジュラジャックとのロックを解除できるモジュラプラグ１を提供することができる。ロックレバー１０１がモジュラプラグ本体から突出していないので、ロックレバー１０１の破損を防ぐことができ、さらに、意図せずロックレバー１０１を押して接続解除されることを防止できる。また、側面部１０３，１０４を両側から押さなければモジュラジャックとのロックが解除されないので、意図しない接続解除が防止できる。
【００３６】
本実施の形態によれば、側面部１０３，１０４にスリットを設けることにより、側面部１０３，１０４がたわみやすくなる。
【００３７】
本実施の形態によれば、ロックレバー１０１の上面の角を削ることにより、側面部１０３を押したときに側面部１０３をロックレバー１０１にぶつけることなく、ロックレバー１０１を傾斜面１０３Ａに接触させることができる。
【符号の説明】
【００３８】
１…モジュラプラグ
１０１…ロックレバー
１０２…突起部
１０３，１０４…側面部
１０３Ａ，１０４Ａ，１０４Ｃ…傾斜面
１０４Ｂ…垂直面
１０５…スリット
１１０…モジュラプラグ上部
１２０…モジュラプラグ下部
２０１…ロックレバー
２０２…突起部
３０１…挿入口
３０２…係止部
【図１】
2012138275.tif 000003
【図２】
2012138275.tif 000004
【図３】
2012138275.tif 000005
【図４】
2012138275.tif 000006
【図５】
2012138275.tif 000007
【図６】
2012138275.tif 000008